(57)【要約】【課題】簡易な構成で、作業環境に左右されることなく、ホットスティックを操作する作業者の負担軽減および作業の自由度の向上を図り、作業効率の向上を図ること。【解決手段】帯形状をなし、開放可能な環を形成する胴ベルト１１０と、胴ベルト１１０に取り付けられて、円筒形状、円錐形状または円錐台形状の外形をなし、軸心方向における一端側に開口を備えたホルダー１２０と、を備えた作業支援具１００を構成した。これにより、ホットスティック３０１およびホットスティック３０１に取り付けられた先端工具３０１ａによる荷重を作業者３００の胴に装着された胴ベルト１１０すなわち作業者３００の胴（腰）部分で受けることができるので、作業者３００の負担軽減を図ることができる。【選択図】図３
2019216538.tif 000002
【特許請求の範囲】
【請求項１】
帯形状をなし、開放可能な環を形成する胴ベルトと、
前記胴ベルトに取り付けられて、円筒形状、円錐形状または円錐台形状の外形をなし、軸心方向における一端側に開口を備えたホルダーと、
を備えたことを特徴とする作業支援具。
【請求項２】
前記ホルダーは、前記開口の開口径を調整可能であることを特徴とする請求項１に記載の作業支援具。
【請求項３】
前記ホルダーは、前記開口と底部の周縁とを連結する外周面部が伸縮自在であって、当該外周面部を伸縮させることにより前記開口の開口径の調整を可能とすることを特徴とする請求項２に記載の作業支援具。
【請求項４】
前記ホルダーは、回転カンを介して前記胴ベルトに取り付けられていることを特徴とする請求項１〜３のいずれか一つに記載の作業支援具。
【請求項５】
前記ホルダーは、前記胴ベルトに対して取り外し可能に取り付けられていることを特徴とする請求項１〜４のいずれか一つに記載の作業支援具。
【発明の詳細な説明】
【技術分野】
【０００１】
この発明は、ホットスティックなどの長物をあつかう作業を支援する作業支援具に関する。
【背景技術】
【０００２】
従来、無停電の高圧線に対する間接活線作業においては、１人の作業者が１〜２本のホットスティックを使用して作業をおこなう場合がある。このような作業に際して、作業者は、たとえば、先端に先端工具を取り付けたホットスティックを脇に挟んで支えたり手で握って腕で支えたりしながら作業をおこなっていた。
【０００３】
このような作業は、ホットスティックの先端に取り付けた先端工具が重かったり長時間に及ぶ作業をおこなう場合は、作業者にかかる負担が大きい。そして、作業者にかかる負担が大きいため、作業者が疲労によりホットスティックを安定して持つことができなくなると、細かい作業を安定しておこなうことが難しくなる。
【０００４】
特に、電線などの電気設備に対する作業をおこなっている場合、ホットスティックを支えることができなくなると、地絡や短絡を引き起こして停電を発生させてしまうおそれがあった。このため、従来、作業者の負担軽減や作業効率の向上を図るための各種の技術があった。
【０００５】
関連する技術として、具体的には、従来、たとえば、作業者の首または肩に掛けられる吊下手段によって、前面に絶縁操作棒の基端部を載置状態で支持する支持部が設けられている胴前体を作業者の胴体の前方に吊り下げるようにした絶縁操作棒用支持具に関する技術があった（たとえば、下記特許文献１を参照。）。
【０００６】
また、関連する技術として、具体的には、従来、たとえば、ベスト状の装着支持部における前身頃に、間接活線工具の基端部が挿入可能な筒状部を設け、当該筒状部の底が作業者の前方に傾くように傾斜した間接活線工具保持用器具に関する技術があった（たとえば、下記特許文献２を参照。）。
【０００７】
また、関連する技術として、具体的には、従来、たとえば、横長に配置された可撓性のプラスチック製短尺板材からなる支持部材に、上方に開口する凹部を有する保持具本体と、作業者の腰部に巻かれたベルトに掛脱可能に掛合するフックと、を設けたホットスティック保持具に関する技術があった（たとえば、下記特許文献３を参照。）。
【先行技術文献】
【特許文献】
【０００８】
【特許文献１】特開２００９−５４９６号公報
【特許文献２】特開２０１７−１４７７７７号公報
【特許文献３】特開２００７−１２９８８２号公報
【発明の概要】
【発明が解決しようとする課題】
【０００９】
しかしながら、上述した特許文献１や特許文献２に記載された従来の技術は、ホットスティックを使用していないときにも作業者の胸の前にホットスティックを支えるための部材（支持部やホルダー）があるため、作業者の手が引っ掛かるなどして煩わしく、作業に集中できなくなるおそれがあるという問題があった。また、上述した特許文献１や特許文献２に記載された従来の技術は、ホットスティックの下端を支持するホルダーの角度を調整することができず、細かい作業が難しいという問題があった。
【００１０】
また、上述した特許文献３に記載された従来の技術は、作業者の腰部に巻かれたベルトにフックを引っ掛けることによってホットスティック保持具を固定しており、ホットスティックを使用しておこなう作業に際して、作業者は上を見ていることが多く、腰周りに細かい注意を払うことが難しいため、作業中にホットスティック保持具が何かにぶつかった場合にベルトから外れるおそれがあるという問題があった。
【００１１】
この発明は、上述した従来技術による問題点を解消するため、簡易な構成で、作業環境に左右されることなく、ホットスティックを操作する作業者の負担軽減および作業の自由度の向上を図り、作業効率の向上を図ることができる作業支援具を提供することを目的とする。
【課題を解決するための手段】
【００１２】
上述した課題を解決し、目的を達成するため、この発明にかかる作業支援具は、帯形状をなし、開放可能な環を形成する胴ベルトと、前記胴ベルトに取り付けられて、円筒形状、円錐形状または円錐台形状の外形をなし、軸心方向における一端側に開口を備えたホルダーと、を備えたことを特徴とする。
【００１３】
また、この発明にかかる作業支援具は、上記の発明において、前記ホルダーが、前記開口の開口径を調整可能であることを特徴とする。
【００１４】
また、この発明にかかる作業支援具は、上記の発明において、前記ホルダーが、前記開口と底部の周縁とを連結する外周面部が伸縮自在であって、当該外周面部を伸縮させることにより前記開口の開口径の調整を可能とすることを特徴とする。
【００１５】
また、この発明にかかる作業支援具は、上記の発明において、前記ホルダーが、回転カンを介して前記胴ベルトに取り付けられていることを特徴とする。
【００１６】
また、この発明にかかる作業支援具は、上記の発明において、前記ホルダーが、前記胴ベルトに対して取り外し可能に取り付けられていることを特徴とする。
【発明の効果】
【００１７】
この発明にかかる作業支援具によれば、簡易な構成で、作業環境に左右されることなく、ホットスティックを操作する作業者の負担軽減および作業の自由度の向上を図り、作業効率の向上を図ることができるという効果を奏する。
【図面の簡単な説明】
【００１８】
【図１】この発明にかかる実施の形態１の作業支援具の構成を示す説明図である。
【図２】ホルダーの構造を示す説明図である。
【図３】作業支援具の使用例を示す説明図である。
【図４】この発明にかかる実施の形態２の作業支援具の構成を示す説明図である。
【図５】作業支援具の使用時におけるホルダーの一例を示す説明図である。
【図６】この発明にかかる実施の形態３の作業支援具の構成を示す説明図である。
【発明を実施するための形態】
【００１９】
以下に添付図面を参照して、この発明にかかる作業支援具の好適な実施の形態を詳細に説明する。
【００２０】
＜実施の形態１＞
（作業支援具の構成）
まず、この発明にかかる実施の形態１の作業支援具の構成について説明する。図１は、この発明にかかる実施の形態１の作業支援具の構成を示す説明図である。図１においては、この発明にかかる実施の形態１の作業支援具の斜視状態を示している。
【００２１】
図１において、この発明にかかる実施の形態１の作業支援具１００は、帯形状をなす胴ベルト１１０と、胴ベルト１１０に取り付けられたホルダー１２０と、を備えている。胴ベルト１１０は、幅広の帯状部材であって、たとえば、ナイロンなどの合成繊維によって形成されている。
【００２２】
胴ベルト１１０は、長さ方向における両端に、一対の閉じ部材１１１ａ、１１１ｂによって構成される閉じ具１１１を備えている。胴ベルト１１０は、閉じ具１１１によって、長さ方向における両端を開放可能に閉じることができる。胴ベルト１１０は、閉じ具１１１により長さ方向における両端を閉じることにより、環を形成する。胴ベルト１１０が形成する環は、閉じ具１１１を開放することによって開くことができる。
【００２３】
閉じ具１１１は、たとえば、幅方向における両側にツメおよび当該ツメが係合する被係合部を備えたサイドリリースバックルによって実現することができる。サイドリリースバックルによって閉じ具１１１を実現することにより、作業者は、ワンプッシュで容易かつ確実に胴ベルト１１０を装着したり取り外したりすることができる。また、サイドリリースバックルによって閉じ具１１１を実現することにより、作業者は、当該作業者の背面側であっても、容易かつ確実に、胴ベルト１１０を装着したり取り外したりすることができる。
【００２４】
サイドリリースバックルは、胴ベルト１１０が形成する環の径を調整可能なアジャスタを備えていることが好ましい。これにより、作業者の体型などに応じて、胴ベルト１１０が形成する環の径を調整することができるので、作業者の体型に左右されることなく、胴ベルト１１０を作業者の胴（腰）周りに回した状態で、確実に装着することができる。
【００２５】
閉じ具１１１は、サイドリリースバックルに限らず、公知の各種のバックルや留め具によって実現することができる。具体的には、閉じ具１１１は、サイドリリースバックルに代えて、たとえば、胴ベルト１１０に設けられた孔に、枠形状をなすフレームに設けられたプロングを差し込む、いわゆるピンバックルによって実現してもよい。
【００２６】
ピンバックルによって閉じ具１１１を実現する場合、胴ベルト１１０の長さ方向において複数の孔を設けることにより、作業者の体型などに応じて、胴ベルト１１０が形成する環の径を調整することができる。これにより、作業者の体型に左右されることなく、胴ベルト１１０を作業者の胴（腰）周りに確実に固定することができる。
【００２７】
胴ベルト１１０には、胴ベルト１１０の幅寸法より幅が広い帯状の部材である補助ベルト（図示を省略する）が設けられていてもよい。胴ベルト１１０よりも幅広の補助ベルトを備えることにより、胴ベルト１１０を装着する作業者の胴体にかかる負担を軽減することができる。
【００２８】
補助ベルトは、胴ベルト１１０に対して長さ方向に沿って相対的に移動可能に設けることで、作業支援具１００の使用に際して、作業者の使いやすい位置に移動させることができる。具体的には、補助ベルトは、たとえば、ベルトループ（図示を省略する）によって胴ベルト１１０と一体化する。
【００２９】
これにより、胴ベルト１１０に対して補助ベルトを長さ方向に沿ってスライドさせることができ、胴ベルト１１０に対する補助ベルトの位置を任意に調整することができる。補助ベルトは、たとえば、作業者の腹に当てる位置に位置づけてもよく、作業者の腰に当てる位置に位置づけてもよい。これにより、作業者は、作業の姿勢などに応じて、補助ベルトを任意の位置に移動させることができ、胴ベルト１１０を装着する作業者の胴体にかかる負担を確実に軽減することができる。
【００３０】
ホルダー１２０は、円錐形状をなし、軸心方向における一端側に開口１２０ａを備えている。ホルダー１２０は、たとえば、革、合成皮革、ナイロン、帆布、プラスチックなど各種の材料を用いて形成することができる。ホルダー１２０を形成する材料は、絶縁性を有する材料であることが好ましい。
【００３１】
ホルダー１２０は、側面（円錐面）部１２０ｂの一部において、胴ベルト１１０に連結されている。ホルダー１２０は、たとえば、鋲などの留め具を用いて胴ベルト１１０に連結することができる。また、鋲にかぎるものではなく、ボルトやネジを用いて連結してもよく、接着により連結してもよく、縫い付けることによって連結してもよい。
【００３２】
（ホルダー１２０の構造）
つぎに、ホルダー１２０の構造について説明する。図２は、ホルダー１２０の構造を示す説明図である。図２に示すように、ホルダー１２０の開口１２０ａは、ホルダー１２０がなす円錐形状の底面部分（図２における紙面上側）に設けられている。ホルダー１２０の内側には、円錐形状の空間が設けられており、当該空間は、開口１２０ａを介して外部とつながっている。開口１２０ａの開口径は、保持対象とするホットスティックの外形寸法よりも大きい。
【００３３】
ホルダー１２０において、ホルダー１２０がなす円錐形状の頂点部分には、孔２０１が設けられていてもよい。孔２０１の開口径は、ホットスティックの外形寸法よりも小さくする。これにより、ホルダー１２０内の通気をよくすることができるので、洗浄したときの乾燥を早めることができる。また、ホルダー１２０内に細かな土埃や砂などがたまってしまうことを回避できる。
【００３４】
（作業支援具１００の使用例）
つぎに、作業支援具１００の使用例について説明する。図３は、作業支援具１００の使用例を示す説明図である。作業支援具１００の使用に際して、作業者３００は、まず、作業支援具１００を作業者３００の胴に装着する。具体的には、胴ベルト１１０を作業者３００の胴に周回させた状態で、閉じ具１１１を閉じて、胴ベルト１１０による環を形成する。胴ベルト１１０は、ホルダー１２０における開口が、鉛直方向における上側を向くように装着する。
【００３５】
この実施の形態１においては、作業者３００が作業支援具１００を装着した場合に、閉じ具１１１が作業者３００の背面側に位置づけられる一例を説明したが、閉じ具１１１の位置はこれに限るものではない。閉じ具１１１は、作業支援具１００を装着した場合に、作業者３００の体の前面に位置するものであってもよい。
【００３６】
つぎに、作業者３００は、図３に示すように、先端工具を取り付けたホットスティック３０１を、根元側からホルダー１２０内に差し込む。これにより、ホットスティック３０１および先端工具３０１ａによる荷重は、ホルダー１２０を介して胴ベルト１１０に伝達される。このため、ホットスティック３０１および先端工具３０１ａによる荷重を、作業者３００の胴において受けることができる。これにより、ホットスティック３０１を脇に挟んで支えたり手で握って腕で支えたりしながら作業をおこなう場合と比較して、作業者３００の負担軽減を図ることができる。
【００３７】
また、ホットスティック３０１および先端工具３０１ａによる荷重を作業者３００の胴において受けることにより、ホットスティック３０１を脇に挟んで支えたり手で握って腕で支えたりするなど、作業者３００が身体のみを使ってホットスティック３０１を支える場合と比較して、作業者３００にホットスティック３０１を安定して支持させることができる。
【００３８】
また、ホルダー１２０が底面部分が開口によって開放された円錐形状をなすため、ホットスティック３０１を操作する際は、ホットスティック３０１および先端工具３０１ａによる荷重をホルダー１２０を介して胴ベルト１１０において受けながら、ホットスティック３０１を開口内で移動させることにより、ホットスティック３０１の角度を調整することができる。これにより、ホットスティック３０１の操作にかかる自由度を低下させることなく、作業者３００の負担軽減を図ることができる。
【００３９】
また、ホルダー１２０が、作業者３００の身体に取り付けた胴ベルト１１０に取り付けられているため、たとえば、高所作業車のバケット内に限定されるなどの作業環境の制限を受けることなく、任意の場所において作業をおこなうことができる。これにより、作業環境の自由度を確保することができ、足場の良好な場所において作業をおこなうことができるので、作業者３００の負担軽減を図ることができる。
【００４０】
さらに、作業支援具１００は、簡易な構成であるため、小型化を実現することができる。これにより、作業者３００は、ホットスティック３０１を使用する作業と使用しない作業とが混在している作業をおこなう場合に、装着したままの作業支援具１００が支障になることなく、ホットスティック３０１を使用しない作業をおこなうことができる。
【００４１】
以上説明したように、この発明にかかる実施の形態１の作業支援具１００は、帯形状をなし、開放可能な環を形成する胴ベルト１１０と、胴ベルト１１０に取り付けられて、円筒形状、円錐形状または円錐台形状の外形をなし、軸心方向における一端側に開口を備えたホルダー１２０と、を備えたことを特徴としている。
【００４２】
この発明にかかる実施の形態１の作業支援具１００によれば、ホルダー１２０の開口を鉛直方向における上側に向けた状態で胴ベルト１１０を作業者３００の胴に装着し、根元側から挿入されたホットスティック３０１をホルダー１２０において保持することにより、ホットスティック３０１およびホットスティック３０１に取り付けられた先端工具３０１ａによる荷重を作業者３００の胴に装着された胴ベルト１１０すなわち作業者３００の胴（腰）部分で受けることができる。
【００４３】
これにより、ホットスティック３０１を操作する作業者３００の負担軽減を図るとともに、作業者３００が身体のみを使ってホットスティック３０１を操作する場合と比較して、作業者３００にホットスティック３０１を安定して支持させることができる。
【００４４】
また、この発明にかかる実施の形態１の作業支援具１００によれば、開口内でホットスティック３０１を傾きを調整することにより、ホットスティック３０１の姿勢を任意の姿勢に調整することができるので、ホットスティック３０１の操作性を低下させることなく、ホットスティック３０１に取り付けられた先端工具３０１ａによる荷重を作業者３００の胴（腰）部分で受けることができる。これにより、ホットスティック３０１を操作する作業者３００の負担軽減を図ることができる。
【００４５】
また、この発明にかかる実施の形態１の作業支援具１００によれば、作業者３００の身体に取り付けた胴ベルト１１０によってホットスティック３０１およびホットスティック３０１に取り付けられた先端工具３０１ａによる荷重を受けるため、たとえば、高所作業車のバケット内に限定されるなどの作業環境の制限を受けることがない。これにより、作業環境の自由度を確保することができる。
【００４６】
また、この発明にかかる実施の形態１の作業支援具１００によれば、簡易な構造であるため、作業者３００は、作業支援具１００を身体に取り付け、ホットスティック３０１を支持した状態で容易に移動することができる。これにより、ホットスティック３０１の位置を作業者３００の細かな移動に追従させることができ、作業環境などに応じた最適な位置において作業をおこなうことができる。
【００４７】
また、この発明にかかる実施の形態１の作業支援具１００によれば、簡易な構造であるため、装着したままの作業支援具１００が支障になることがないので、作業者３００が、ホットスティック３０１を使用する作業から、ホットスティック３０１を使用しない作業に移行する場合に、一旦装着した作業支援具１００を取り外すことなく、迅速にホットスティック３０１を使用しない作業に移行することができる。
【００４８】
また、ホットスティック３０１を使用しない作業をおこなう場合にも、作業開始時に作業支援具１００を装着しておくことにより、作業に支障を来すことなく、迅速にホットスティック３０１を使用する作業に移行することができる。これにより、幅広い作業を、各作業に支障を来すことなく対応することができ、作業効率の向上を図ることができる。
【００４９】
このように、この発明にかかる実施の形態１の作業支援具１００によれば、簡易な構成で、作業環境に左右されることなく、ホットスティック３０１を操作する作業者３００の負担軽減および作業の自由度の向上を図り、作業効率の向上を図ることができる。
【００５０】
また、この発明にかかる実施の形態１の作業支援具１００は、ホルダー１２０が、開口の開口径を調整可能であることを特徴としている。
【００５１】
この発明にかかる実施の形態１の作業支援具１００によれば、ホットスティック３０１およびホットスティック３０１に取り付けられた先端工具３０１ａによる荷重を底部に預けた状態のまま、すなわち、ホットスティック３０１および先端工具３０１ａによる荷重を作業者３００の胴（腰）部分で受けながら、ホットスティック３０１の姿勢を任意の姿勢に調整することができる。これにより、簡易な構成によって、ホットスティック３０１の操作性を低下させることなく、ホットスティック３０１を操作する作業者３００の負担軽減を図ることができる。
【００５２】
＜実施の形態２＞
（作業支援具の構成）
つぎに、この発明にかかる実施の形態２の作業支援具の構成について説明する。実施の形態２においては、上述した実施の形態１と同一部分は同一符号で示し、説明を省略する。
【００５３】
図４は、この発明にかかる実施の形態２の作業支援具の構成を示す説明図である。図４においては、この発明にかかる実施の形態２の作業支援具が備えるホルダーを示している。図４において、この発明にかかる実施の形態２の作業支援具は、実施の形態１の作業支援具１００に対して、ホルダー４１０の形状が異なっている。ホルダー４１０は、底部４１１と側面（外周面）部４１２と開口４１３とを備えており、略円筒形状をなす。
【００５４】
開口４１３は、ホルダー４１０がなす円筒形状の軸心方向における一端に設けられている。底部４１１は、ホルダー４１０がなす円筒形状の軸心方向における他端に設けられている。すなわち、ホルダー４１０は、有底筒形状をなす。ホルダー４１０がなす円筒形状の側面部４１２は、伸縮自在な蛇腹状の部材によって形成されている。具体的には、たとえば、シート状の部材を山折りと谷折りとを交互に繰り返して折りたたむことによって蛇腹構造の側面部４１２を実現することができる。
【００５５】
ホルダー４１０において、側面部４１２のうち、形状が一定の底部４１１に固定された部分は伸縮しない。このため、ホルダー４１０は、開口４１３側ほど大きく開くように（テーパー状に）、開口径を調整することができる。開口４１３の開口径を開くように側面を変形させると、開口４１３の中心と底部４１１の中心とを結ぶ仮想線分が鉛直方向に対してなす角度を調整することができる。
【００５６】
側面部４１２は、開口４１３に外力が加えられていない状態では、もっとも収縮した状態となるように元の形状に復帰する弾性を備えた材料を用いて形成することが好ましい。弾性を備えた材料は、側面部４１２全体を構成してもよく、一部を構成してもよい。具体的には、たとえば、樹脂材料を用いて形成した板状部材をゴムなどの弾性を有する材料を介して接続することによって側面部４１２を構成してもよい。
【００５７】
（作業支援具の使用例）
つぎに、作業支援具の使用例について説明する。作業者３００は、上述した実施の形態１と同様に、胴に装着した作業支援具のホルダー４１０にホットスティック３０１を根元側から挿入した状態で、ホットスティック３０１を操作する。
【００５８】
図５は、作業支援具の使用時におけるホルダー４１０の一例を示す説明図である。図５に示すように、ホルダー４１０は、側面部４１２が、伸縮自在であるため、ホルダー４１０内にホットスティック３０１を保持した状態で、当該ホットスティック３０１の角度を調整すると、当該ホットスティック３０１の角度に応じて開口４１３が拡開する。
【００５９】
これにより、ホットスティック３０１および先端工具３０１ａによる荷重をホルダー４１０を介して胴ベルト１１０において受けながら、ホットスティック３０１の角度を調整することができる。そして、これにより、ホットスティック３０１の操作にかかる自由度を低下させることなく、作業者３００の負担軽減を図ることができる。
【００６０】
ホルダー４１０は、ホットスティック３０１を保持していない状態（開口４１３に外力が加えられていない状態）では、もっとも収縮した状態となる（図４を参照）。このため、作業者３００は、ホットスティック３０１を使用する作業と使用しない作業とが混在している作業をおこなう場合に、装着したままの作業支援具が支障になることなく、ホットスティック３０１を使用しない作業をおこなうことができる。
【００６１】
以上説明したように、この発明にかかる実施の形態２の作業支援具は、ホルダー４１０は、開口４１３と底部４１１の周縁とを連結する側面部４１２が伸縮自在であって、当該側面部４１２を伸縮させることにより開口４１３の開口径の調整を可能とすることを特徴としている。
【００６２】
この発明にかかる実施の形態２の作業支援具によれば、簡易な構成によって、ホットスティック３０１および先端工具３０１ａによる荷重を作業者３００の胴（腰）部分で受けながら、ホットスティック３０１の姿勢を任意の姿勢に調整することができる。これにより、簡易な構成によって、ホットスティック３０１の操作性を低下させることなく、ホットスティック３０１を操作する作業者３００の負担軽減を図ることができる。
【００６３】
＜実施の形態３＞
（作業支援具の構成）
つぎに、この発明にかかる実施の形態３の作業支援具の構成について説明する。実施の形態３においては、上述した実施の形態１や実施の形態２と同一部分は同一符号で示し、説明を省略する。
【００６４】
図６は、この発明にかかる実施の形態３の作業支援具の構成を示す説明図である。図６においては、この発明にかかる実施の形態３の作業支援具の斜視状態を示している。図６において、この発明にかかる実施の形態３の作業支援具６００は、実施の形態１の作業支援具１００や実施の形態２の作業支援具に対して、ホルダー６１０の形状および胴ベルト１１０への連結機構が異なっている。
【００６５】
具体的に、作業支援具６００において、ホルダー６１０は、底部６１１と側面（外周面）部６１２と開口６１３とを備えており、略円筒形状をなす。ホルダー６１０は、回転カン６１４を介して胴ベルト１１０に取り付けられている。回転カン６１４を介してホルダー６１０を胴ベルト１１０に取り付けることにより、ホルダー６１０の姿勢の自由度、すなわち、ホットスティック３０１の角度調整の自由度を確保することができる。これにより、ホットスティック３０１の操作にかかる自由度を低下させることなく、作業者３００の負担軽減を図ることができる。
【００６６】
回転カン６１４は、たとえば、カラビナ６１５を介して、胴ベルト１１０に固定されたＤ環６０１などに取り外し可能に取り付けることができる。カラビナ６１５は、一部が開閉できる環形状をなし、ステンレスなどの金属材料を用いて形成されている。環形状をなすカラビナ６１５において、一部開閉できる部分は、通常、図示を省略するバネなどの付勢部材によって、環を閉じる方向に付勢されている。
【００６７】
これにより、ホットスティック３０１を使用する作業と使用しない作業とが混在している作業をおこなう場合に、胴ベルト１１０を取り外すことなくホルダー６１０のみを取り外すことができる。これにより、作業者３００は、ホットスティック３０１を使用する作業と使用しない作業とが混在している作業をおこなう場合に、作業支援具６００が支障になることなく、ホットスティック３０１を使用しない作業をおこなうことができる。
【００６８】
また、胴ベルト１１０を装着したままホルダー６１０を取り外したり、再度取り付けたりすることができるので、ホットスティック３０１を使用しない作業をおこなった後、直ちに、ホットスティック３０１を使用する作業に移行することができる。これにより、作業効率の向上を図ることができる。
【００６９】
さらに、Ｄ環６０１とカラビナ６１５とによってホルダー６１０を胴ベルト１１０に取り付けることにより、胴ベルト１１０に対するホルダー６１０の着脱を片手で容易におこなうことができる。これにより、作業効率の向上を図ることができる。
【００７０】
以上説明したように、この発明にかかる実施の形態３の作業支援具６００は、ホルダー６１０が、回転カン６１４を介してベルトに取り付けられていることを特徴としている。
【００７１】
この発明にかかる実施の形態３の作業支援具６００によれば、回転カン６１４によって胴ベルト１１０に対するホルダー６１０の姿勢、すなわち、ホットスティック３０１の姿勢を任意の姿勢に調整することができる。これにより、簡易な構成によって、ホットスティック３０１および先端工具３０１ａによる荷重を作業者３００の胴（腰）部分で受けながら、ホットスティック３０１の姿勢を任意の姿勢に調整することができる。そして、これにより、簡易な構成によって、ホットスティック３０１の操作性を低下させることなく、ホットスティック３０１を操作する作業者３００の負担軽減を図ることができる。
【００７２】
また、この発明にかかる実施の形態３の作業支援具６００は、ホルダー６１０が、胴ベルト１１０に対して取り外し可能に取り付けられていることを特徴としている。
【００７３】
この発明にかかる実施の形態３の作業支援具６００によれば、作業内容などに応じてホルダー６１０を取り付けたり取り外したりすることができる。これにより、ホルダー６１０の存在が作業の支障になることを回避し、必要な状況において、ホットスティック３０１を操作する作業者３００の負担軽減を図ることができる。
【産業上の利用可能性】
【００７４】
以上のように、この発明にかかる作業支援具は、ホットスティックなどの長物をあつかう作業を支援する作業支援具に有用であり、特に、重量のある先端工具３０１ａを取り付けたホットスティックなどの長物をあつかう作業を支援する作業支援具に適している。
【符号の説明】
【００７５】
１００  作業支援具
１１０  胴ベルト
１１１  閉じ具
１２０  ホルダー
１２０ａ  開口
１２０ｂ  側面部
３０１  ホットスティック
４１０  ホルダー
４１１  底部
４１２  側面部
４１３  開口
６００  作業支援具
６０１  Ｄ環
６１０  ホルダー
６１１  底部
６１２  側面部
６１３  開口
６１４  回転カン
６１５  カラビナ
【図１】
2019216538.tif 000003
【図２】
2019216538.tif 000004
【図３】
2019216538.tif 000005
【図４】
2019216538.tif 000006
【図５】
2019216538.tif 000007
【図６】
2019216538.tif 000008